(57)【要約】【課題】さやと頭栓が凹凸嵌合によって固定されているものの、クリップの動作如何によっては、さやから頭栓が外れてしまうことがあった。つまり、クリップをさやに対して離隔させようとすると、クリップとは反対側のさやの後端部を支点とし、頭栓がクリップと共に回転しようとするのである。そして、その結果、頭栓はさやに対して回転しながら外れてしまうのである。【解決手段】クリップの基部に嵌合部が形成され、その嵌合部を筒状部材の嵌合受部に挿着・嵌合するクリップ取り付け構造であって、前記クリップの基部に挿着方向に延びる直線上の係合部を形成すると共に、その係合部が係合する係合受部を前記筒状部材に形成し、又、それら係合部と係合受部に前記クリップと平行な平面部を形成したクリップ取り付け構造。【選択図】  図１
2004181631.tif 000002
【特許請求の範囲】
【請求項１】
クリップの基部に嵌合部が形成され、その嵌合部を筒状部材の嵌合受部に挿着・嵌合するクリップ取り付け構造であって、前記クリップの基部に挿着方向に延びる直線上の係合部を形成すると共に、その係合部が係合する係合受部を前記筒状部材に形成し、又、それら係合部と係合受部に前記クリップと平行な平面部を形成したことを特徴とするクリップ取り付け構造。
【請求項２】
前記クリップの基部と筒状部材の連結部を傾斜面としたことを特徴とする請求項１記載のクリップ取り付け構造。
【請求項３】
前記筒状部材の嵌合受部の長手方向の長さを筒状部材の本体部の長さよりも短く、且つ、クリップの基部の長手方向の長さよりも短くしたことを特徴とする請求項１、或いは、請求項２に記載のクリップ取り付け構造。
【発明の詳細な説明】
【０００１】
【発明の属する技術分野】
本発明は、クリップの基部に嵌合部が形成され、その嵌合部を筒状部材の嵌合受部に挿着・嵌合するクリップ取り付け構造に関する。
【０００２】
【従来の技術】
従来から、合成樹脂のさやの頭部に形成された円柱状の凹部と、この凹部に嵌合し、所定位置まで挿入される足部が設けられ、その足部に長手方向に向かってアリ溝が形成され、その足部の一端に前記頭部の外周と同形のつば部が一体形成された頭栓と、板の一端にボール部が設けられ、このＵ字形の底部から端部にかけて前記板の幅より狭いくびれ部が設けられた金属製のクリップとにより構成され、前記クリップを前記くびれ部より前記アリ溝に挿入し、かつ、前記Ｕ字形の底部を前記頭栓のつば部に当接して、そのクリップを前記頭栓に固定し、この頭栓を前記さやの凹部に挿入してそのさやに一体化するようにしたクリップの取り付け装置が知られている（特許文献１参照）。
【０００３】
【特許文献１】
実願平２−２９７８３号（実用新案登録請求の範囲、図１）
【０００４】
【発明が解決しようとする課題】
しかし、前記従来技術にあっては、さやと頭栓が凹凸嵌合によって固定されているものの、クリップの動作如何によっては、さやから頭栓が外れてしまうことがあった。つまり、クリップをさやに対して離隔させようとすると、クリップとは反対側のさやの後端部を支点とし、頭栓がクリップと共に回転しようとするのである。そして、その結果、頭栓はさやに対して回転しながら外れてしまうのである。
【０００５】
【課題を解決するための手段】
本発明は、クリップの基部に嵌合部が形成され、その嵌合部を筒状部材の嵌合受部に挿着・嵌合するクリップ取り付け構造であって、前記クリップの基部に挿着方向に延びる直線上の係合部を形成すると共に、その係合部が係合する係合受部を前記筒状部材に形成し、又、それら係合部と係合受部に前記クリップと平行な平面部を形成したことを要旨とする。
【０００６】
【作用】
クリップ基部の筒状部材に対する回転が、各々に設けた平面部を有する係合部によって阻止される。つまり、前記回転作用は、クリップの基部と筒状部材との１点でも阻止されるが、互いの平面部における面状の係合によっても阻止される。よって、互いの部材を取り付ける距離が短いものにあっては特に有効となる。
【０００７】
【実施例】
本発明をボールペンに適用させた例を示す。軸筒１の前方にはエラストマーやゴムなどの弾性体からなるグリップ部材２が取り付けられており、そのグリップ部材２の前方にはボールペン体３の筆記部４の乾燥を防止するキャップ５が着脱自在に取り付けられている。そのキャップ５は、凹凸嵌合や単なる圧入などの手段によって、前記軸筒１に対して着脱自在に取り付けられている。そして、そのキャップ５には、クリップ６の基部７が嵌合・固定されている。その基部７は、クリップ６に一体形成されているが、例えば、基部を樹脂で成形すると共にクリップを金属板などで形成し、互いを圧入や接着などの手段によって固着しても良いし、インサート成形や２色成形などの手段によって一体的に形成しても良い。符号８は、筆記部４の先端に当接するシリコーンゴム、ＮＢＲゴムやブチルゴムなどから形成されたパッキン部材であって、筆記部４の乾燥防止をより確実なものとしている。又、符号Ｚは、前記軸筒１の後端に螺合によって着脱自在に固定された尾栓であって、前記ボールペン体３を交換可能なものとしている。
【０００８】
次ぎに、前記キャップ５とクリップ６の固定構造について詳述する。樹脂材質から形成された前記キャップ５の前方にはクリップ６の基部７が嵌合する嵌合受部８が形成されているが、その嵌合受部８の長手方向の長はキャップ５の長さよりも短く、且つ、クリップ６の基部７の長手方向の長さよりも短く形成されている。即ち、意匠上の観点から、本実施例においては、基部７の嵌合受部８に対する嵌合距離が少なくなっているのである。又、嵌合受部８は、キャップ５の外径に比べ一回り程度小径なものとなっている。そして、その嵌合受部８の中間部には嵌合凸部９が円周上に形成されている。又、嵌合受部８の長手方向には直線上の溝部１０が形成されており、その溝部１０には前記クリップ６と平行な平面部１１が形成されている。
前記キャップ５と嵌合受部８の連結部分は傾斜面部８ａとなっており、その嵌合受部８に嵌合するクリップ６の基部７の後部も傾斜面部７ａとなっている。その傾斜面部の連結部分に伴い、基部７の前端部も傾斜した状態となっている。意匠的な観点からの形状である。又、基部７の前端面を傾斜させたため、前記嵌合受部８の前端部にも前記傾斜面部に合わせて切り欠き部８ｂが形成されている。
尚、前記キャップ５やクリップ６は、伴に樹脂成形品で構成されているが、クリップ６をキャップ５に比し比較的弾力性に富む材質で構成するのが好ましい。ちなみに、本実施例においてはキャップをポリエチレンテレフタレートとし、クリップをポリカーボネートとしている。
【０００９】
一方、クリップ６の基部７の内部は中空部１２となっているが、その中空部１２には前記嵌合受部８の嵌合凸部９に嵌合する嵌合凹部１３が円周上に形成されている。又、嵌合受部８の溝部１０に係合する係合突起１４も長手方向であって直線上に延設形成されている。勿論、その直線上の係合突起１４の両側にもクリップ６と平行な平面部１５が形成されている。即ち、クリップ６をポケットなどに装着する際には、クリップ６がキャップ５から離隔する。そのクリップ６がキャップ５から離隔する方向に前記各々の平面部１１、１５を形成しているのである。
尚、係合突起１４の後端面には、三角形状の傾斜面１４ａが形成されており、前記キャップ５の溝部１０に係合させる（組み付ける）際の案内部となっている。又、キャップ５の溝部１０とクリップ６の係合突起１４との係合は、各々の部材を組み立てる際の位置決めや挿入案内の役割も果たしており、さらに、組立後においては上記の作用に加え、キャップ５とクリップ６との相対的な回転防止も果たしている。
【００１０】
【発明の効果】
本発明は、クリップの基部に嵌合部が形成され、その嵌合部を筒状部材の嵌合受部に挿着・嵌合するクリップ取り付け構造であって、前記クリップの基部に挿着方向に延びる直線上の係合部を形成すると共に、その係合部が係合する係合受部を前記筒状部材に形成し、又、それら係合部と係合受部に前記クリップと平行な平面部を形成したので、クリップの基部と筒状部材との離脱を極力防止することができる。
【図面の簡単な説明】
【図１】本発明を示す正面図。
【図２】図１の側面図。
【図３】図１の断面図。
【図４】クリップとキャップの分解図。。
【図５】図４のＡ矢視図。
【図６】図４のＢ矢視図。
【符号の説明】
１    軸筒
２    グリップ部材
３    ボールペン体
４    筆記部
５    キャップ
６    クリップ
７    基部
８    嵌合受部
９    嵌合凸部
１０    溝部
１１    平面部
１２    中空部
１３    嵌合凹部
１４    係合突起
１５    平面部
【図１】
2004181631.tif 000003
【図２】
2004181631.tif 000004
【図３】
2004181631.tif 000005
【図４】
2004181631.tif 000006
【図５】
2004181631.tif 000007
【図６】
2004181631.tif 000008